(57)【特許請求の範囲】
【請求項１】
複数の発光ダイオードを一列に配列してなるＬＥＤアレイ光源の、各発光ダイオードからの光束を結像素子により感光体上に光スポットとして集光せしめて画像書込みを行い、記録画像に応じた静電潜像を形成する方式の画像形成装置において、
レンズアレイによる結像素子と、ＬＥＤアレイ光源とをユニット化してなる画像出力ユニットであって、
上記結像素子による光スポット形成面上における、各ＬＥＤに応じた光スポットの光強度分布の、光スポット配列方向および／または光スポット配列直交方向における、光スポット径より小さい所定幅内の積分値を、画像ドットの大きさのバラツキを有効に補正することが出来る上記所定幅の開口幅を有して上記光スポット形成面に合致して設けられたスリットの開口部を介して受光素子が受光する積分値として得、得られた積分値が、各光スポットに実質的に共通する値となるように、個々のＬＥＤの発光量を設定したことを特徴とする画像出力ユニット。
【請求項２】
請求項１記載の画像出力ユニットにおいて、
結像素子は、マイクロレンズを、ＬＥＤアレイ光源における各ＬＥＤと１：１に対応するように配列させたマイクロレンズアレイであることを特徴とする画像出力ユニット。
【請求項３】
請求項１記載の画像出力ユニットにおいて、
結像素子は、それぞれが、複数個のＬＥＤに対応する小径レンズ系を配列したレンズアレイであることを特徴とする画像出力ユニット。
【発明の詳細な説明】
【０００１】
【発明の属する技術分野】
この発明は画像出力ユニットに関する。この発明は、デジタル複写機や、ページプリンタ、デジタルファクシミリ等に適用可能である。
【０００２】
【従来の技術】
デジタル信号で発光量を変調させた光源からの光束を、感光体上に光スポットとして集光させて画像書込みを行い、記録画像に対応した静電潜像を形成する光書込記録は、デジタル複写機等の画像形成装置の光走査装置として広く実用化されている。
光走査装置は極めて高品質の画像形成を実現できるが、光走査装置の大きさのため画像形成装置のコンパクト化が困難であり、また、偏向光束を結像させるための走査結像光学系の画角をある程度以上広画角化することが困難であるため、大面積の画像書込みが難しいという問題がある。
近来、発光ダイオード即ち「ＬＥＤ」を密接してアレイ配列したＬＥＤアレイ光源を用い、ＬＥＤアレイ光源の各ＬＥＤからの光束を「レンズアレイによる結像素子」により感光体上に光スポットとして集光させ、ＬＥＤアレイ光源により一度に１ラインを書き込む（主走査）ようにし、「ＬＥＤアレイ光源および結像素子」と感光体とを、ＬＥＤの配列方向に直交する方向に相対的に移動させて副走査方向の書込みを行う書込み方式、即ち所謂「固体走査書込み方式」の実用化が意図されている。
【０００３】
固体走査書込み方式は、回転多面鏡のような「機械的な駆動部品」を必要とせず、光源から感光体に至る光路長を短くする事ができるため、画像形成装置をコンパクト化でき、ＬＥＤアレイ光源におけるＬＥＤの配列長、結像素子におけるレンズアレイの長さを大きくすることにより、大面積の画像書込みを容易に実現できる。
しかしながら反面、１ラインを書き込むＬＥＤが多数であること、結像素子が複数のレンズの配列で構成されることから、以下の如き問題が生じる。
即ち、ＬＥＤアレイ光源における各ＬＥＤの発光量のバラツキや、レンズアレイを構成する個々のレンズの光学特性のバラツキに起因して、各ＬＥＤによる光スポットで書込まれる「画像ドット」の大きさがバラつくのである。
最近では記録画像の高密度化の要請に伴い、光スポットの小径化が求められており、小径でかつ、バラツキのない光スポットの実現が要求されている。
【０００４】
近時市販されているＬＥＤアレイ光源は、個々のＬＥＤに供給する電流値を、例えば４ビット値のデータで決定し、各ＬＥＤ毎に発光量を変化させることのできる光量補正可能なものが一般的であり、発光量をＬＥＤ単位で補正することより、光スポットのバラツキを軽減させることが考えられる。
例えば、「各ＬＥＤから放射され、結像素子を透過した全光量が、全ＬＥＤに対して等しくなるように調整する方法」が考えられるが、光スポットによる光導電性の感光体の露光においては「光強度の低い光スポット周辺部は画像ドットの形成に寄与しない」ので、結像素子を透過した全光量で調整してしまうと、画像ドットの形成に必要な光量にバラツキが生じ、画像ドットの大きさのバラツキはそれほど改善されない。
【０００５】
【発明が解決しようとする課題】
この発明は、ＬＥＤアレイ光源による書込みを行う画像形成装置において、光スポットにより書き込まれる画像ドットの大きさのバラツキを有効に軽減することを課題とする。
【０００６】
この発明はまた、画像ドットの大きさのバラツキを有効に軽減できる画像出力ユニットの実現を課題とする。
【０００７】
【課題を解決するための手段】
この発明の画像出力ユニットは「複数の発光ダイオードを一列に配列してなるＬＥＤアレイ光源の、各発光ダイオードからの光束を結像素子により感光体上に結像させることにより、記録画像に応じた静電潜像を形成する方式の画像形成装置において、ＬＥＤアレイ光源と、レンズアレイによる結像素子とをユニットとしてなる画像出力ユニット」であって、以下の点を特徴とする。
即ち、結像素子による光スポット形成面上における、各ＬＥＤに応じた光スポットの光強度分布の、光スポット配列方向および／または光スポット配列直交方向における、光スポット径より小さい所定幅内の積分値が、各光スポットに実質的に共通する値となるように、個々のＬＥＤの発光基準を設定したことである。
上記積分値は、画像ドットの大きさのバラツキを有効に補正することが出来る所定幅の開口幅を有して光スポット形成面に合致して設けられたスリットの開口部を介して受光素子が受光する積分値として得られる。
上記「ＬＥＤアレイ光源」は、複数のＬＥＤをアレイ配列し、各ＬＥＤを別個独立して点滅制御する「制御回路」を有している。
「制御回路」は、個々のＬＥＤに供給する電流値を、例えば４ビット値のデータで決定し、各ＬＥＤ毎に発光量を変化させることができるものである。
かりに、電流値が４ビット値のデータで決定されるとすると、個々のＬＥＤは発光量を１６段階に変化させることができる。しかし、個々のＬＥＤはその発光特性にバラツキがあるから、例えば、ＬＥＤ：ＡとＬＥＤ：Ｂとを、最大発光量（上記１６段階の最上段の発光量）で発光させたとしても、Ａ，Ｂの発光量は同一になるとは限らない。また、仮にＬＥＤ：Ａ，Ｂの発光量が互いに等しかったとしても、結像素子を構成するレンズアレイにおける各レンズに特性の差があれば、感光体上に形成される光スポットの光量は互いに異なったものとなる。
【０００８】
この発明においては、上記のように、結像素子による光スポット形成面上における、各ＬＥＤに応じた光スポットの光強度分布の、光スポット配列方向および／または光スポット配列直交方向における、光スポット径より小さい所定幅内の積分値が、各光スポットに実質的に共通する値となるように、個々のＬＥＤの発光量を設定する。即ち、同一の大きさの画像ドットを形成するための光量が、全光スポットに共通になるようにするのである。
「光スポット形成面」は、画像出力ユニットを画像形成装置に搭載した場合に感光体表面（露光面）に対応する面である。ＬＥＤアレイ光源における任意のＬＥＤから放射された光束が、結像素子の作用で光スポット形成面に光スポットを形成した状態を考え、光スポット配列方向（主走査方向）をＸ、これに直交する方向（副走査方向）をＹとして、当該光スポットの光強度分布：Ｐ（Ｘ，Ｙ）を考えてみる。光強度分布：Ｐ（Ｘ，Ｙ）のＸ軸上の範囲をａ〜ｂ、Ｙ軸上の範囲をｃ〜ｄとする。即ち、光強度分布：Ｐ（Ｘ，Ｙ）は、範囲：ａ〜ｂ，ｃ〜ｄの外側では０である。
上述のように、各ＬＥＤの発光量が４ビット値のデータで１６段階に変化できるものとし、第ｉ段階における上記光強度分布をＰｉ（Ｘ，Ｙ）とすると、上記ａ，ｂ，ｃ，ｄはパラメータ：ｉによっても変化するので、これらの最大値を改めて、ａ，ｂ，ｃ，ｄとすると、当該ＬＥＤが第ｉ段階の発光量で発光されたとき、このＬＥＤに対応する光スポットの全光量：Ｒｉは、積分：
∫∫Ｐｉ（Ｘ，Ｙ）ｄＸｄＹ
を、積分範囲：ａ〜ｂ，ｃ〜ｄで行ったものになる。ＬＥＤアレイ光源におけるＬＥＤの全数をＮとして、各ＬＥＤに１〜ｎ〜Ｎのように番号をふり、番号：ｎのＬＥＤに対する上記Ｐｉ，ＲｉをそれぞれＰｉｎ，Ｒｉｎとすると、個々のＬＥＤの発光特性の違いや結像素子の特性のバラツキに応じ、Ｐｉｎ，ＲｉｎはＬＥＤの番号：ｎに応じて、異なったものとなる。
前述した「結像素子を透過した全光量が、全ＬＥＤに対して等しくなるように調整」する方法は、全光量：Ｒｎ（ｎ＝１〜Ｎ）が互いに等しくなるように、各ＬＥＤにおけるパラメータ：ｉを調整する方法である。パラメータ：ｉは、例えば４ビット値のデータの場合には１６段階にしか変化させ得ないから、Ｒｎ自体も１６通りにしか変化させることはできず、従って、全光量：Ｒｎが全ＬＥＤに対して等しくなると言っても、現実には、Ｒｎのバラツキが一定の許容範囲に含まれるような調整であることは当然である。この点は、この発明においても同様である。
【０００９】
この発明においては、全光量：Ｒｎを全ＬＥＤに対して等しくするのではなく、結像素子による光スポット形成面上における、各ＬＥＤに応じた光スポットの光強度分布の、光スポット配列方向および／または光スポット配列直交方向における、光スポット径より小さい所定幅内の積分値が、各光スポットに実質的に共通する値となるように、個々のＬＥＤの発光量を設定するのである。
例えば、光スポット配列方向（Ｘ方向）における所定幅内の積分値が、各光スポットに共通する値となるようにする場合であれば、上記幅の上下限をそれぞれｅ，ｆ（｜ｅ−ｆ｜＜｜ａ−ｂ｜）とするとき、積分：
Ｌｉｎ＝∫∫Ｐｉ（Ｘ，Ｙ）ｄＸｄＹ（積分領域は、Ｘについてはｅからｆまで、Ｙについてはｃからｄまで）が、全てのｎについて許容範囲内に入るように各ＬＥＤにおけるパラメータ：ｉを調整することに他ならない。なお、パラメータ：ｉの大きさが大きくなるほど、上記許容範囲を狭くできることは容易に理解されよう。
光スポットにより露光される感光体には「感度の閾値」がある。光スポットは通常、中心部から周辺部に向かって光強度が単調に低下するような光強度分布をもつから、上記周辺部の「感度の閾値よりも小さい光強度分布を持った部分」は画像ドットの形成に寄与しない。この発明では、光スポット形成面上における各ＬＥＤに応じた光スポットの光強度分布の、光スポット配列方向および／または光スポット配列直交方向における「光スポット径より小さい所定幅内の積分値」が、各光スポットに実質的に共通する値となるように、個々のＬＥＤの発光基準を設定するので、画像ドットの形成に寄与しない周辺部の光量ではなく、画像ドットの形成に有効に寄与する部分の光量をデジタルの補正データの許す範囲内で各ＬＥＤに対して均一化するので、画像ドットの大きさのバラツキを有効に軽減することが可能になる。
【００１０】
ＬＥＤアレイ光源と組み合わせられる結像素子は「レンズアレイ」であるが、その具体的な形態としては「マイクロレンズを、ＬＥＤアレイ光源における各ＬＥＤと１：１に対応するように配列させたマイクロレンズアレイ」とすることもできるし（請求項２）、「それぞれが複数個のＬＥＤに対応する小径レンズ系を配列したレンズアレイ」とすることもできる（請求項３）。この請求項３記載のレンズアレイには周知の「ルーフミラーレンズアレイ」や「セルフォックレンズアレイ」が含まれる。
「複数の発光ダイオードを一列に配列してなるＬＥＤアレイ光源の、各発光ダイオードからの光束を結像素子により感光体上に光スポットとして集光せしめて画像書込みを行い、記録画像に応じた静電潜像を形成し、該静電潜像を現像して記録画像に対応する可視像を得る方式の画像形成装置」において、画像出力ユニットとして、上記請求項１または２または３記載の画像出力ユニットを用いることができる。
【００１１】
【発明の実施の形態】
図１は、この発明の画像形成装置の実施の１形態を説明に必要な部分のみ略示している。この画像形成装置はデジタル複写装置である。
図中に符号１０で示す部分は原稿読取部であり、原稿ガラス１７上に平面的に定置された原稿０を、公知の照明走査手段１１により照明走査し、原稿０からの反射光束を結像レンズ１３により固体撮像素子１５上に結像させて、原稿画像を読み取る。読取信号は画像処理部２０へ送られて、画像書込みに適合する画像信号に処理され、画像出力ユニット３０へ送られる。画像処理部２０はまた「外部コンピュータからのアウトプットやフロッピーディスクに記録された画像情報を再生した信号」である外部情報を画像書込みに適合した画像信号に処理することを行うことができる。
光導電性の感光体４０は円筒状に形成されて矢印方向へ等速回転し、帯電手段４２（コロナチャージャの例を示すが帯電ローラ等の接触帯電式のものを用いても良い）により周面を均一に帯電され、画像出力ユニット３０により光による画像書込みを行われて、記録画像に対応する静電潜像が形成される。形成された静電潜像は現像装置４４により現像されて可視像となり、中間転写媒体である転写ベルト５０上に転写手段５２により転写され、さらに転写ベルト５０から記録シートＳ（転写紙あるいはオーバヘッドプロジェクタ用用紙等）へ、転写ローラ５４（図示されない電圧印加手段から転写電圧が印加されている）により転写される。記録シートＳは、転写された可視像を定着装置６０により定着されて装置外へ排出される。
【００１２】
画像出力ユニット３０は後述するように「レンズアレイによる結像素子と、ＬＥＤアレイ光源とをユニット化してなり、結像素子による光スポット形成面上における、各ＬＥＤに応じた光スポットの光強度分布の、光スポット配列方向および／または光スポット配列直交方向における、光スポット径より小さい所定幅内の積分値が、各光スポットに実質的に共通する値となるように、個々のＬＥＤの発光量を設定した」ものである（請求項１）。この点は、後に詳述する。
従って、図１に実施の形態を示すデジタル複写装置は「複数の発光ダイオードを一列に配列してなるＬＥＤアレイ光源の、各発光ダイオードからの光束を結像素子により感光体４０上に光スポットとして集光せしめて画像書込みを行い、記録画像に応じた静電潜像を形成し、該静電潜像を現像して上記記録画像に対応する可視像を得る方式の画像形成装置において、画像出力ユニット３０として、請求項１記載の画像出力ユニットを用いた画像形成装置」である。
【００１３】
図２（ａ）は、図１に示す画像出力ユニットを示している。
符号３１で示すＬＥＤアレイ光源本体は、多数のＬＥＤを密接して、図の左右方向へ１列に配列し、各ＬＥＤを制御回路３３により独立して点滅制御できるようになっている。画像処理部２０からの画像信号は、制御回路３３に入力され制御回路３３によりＬＥＤの点滅制御が行われる。
結像素子３５は、それぞれが「正立等倍結像系」である小径レンズ系を配列してなるレンズアレイであり、スペーサ３６によりＬＥＤアレイ光源本体３１との間隔を所定の間隔に調整され、連結手段３７により一体化されることによりユニット化されている。小径レンズ系は、それぞれが複数個のＬＥＤに対応している（請求項３）。
図２（ａ）において、符号３９は「光スポット形成面」であり、図１における感光体４０の表面と合致させられる。
【００１４】
図２（ｂ）は、結像素子に３５における各小径レンズ系による光スポットの形成を説明するための図である。
符号Ｌｋは、レンズアレイにおけるｋ番目の小径レンズ系を示す。小径レンズ系Ｌｋは正立等倍系であり、複数のＬＥＤと対応している。図には、これら複数のＬＥＤのうちの２つＤｉ，Ｄｊから放射された光が、小径レンズ系Ｌｋにより対応する光スポットＳｐｉ，Ｓｐｊとして結像する状態を示している。
勿論、結像素子のレンズアレイとしては、個々のマイクロレンズがＬＥＤの個々と１：１で対応するようにしたマイクロレンズアレイを用いることもできるし（請求項２）、セルフォックレンズのような屈折率分布型の棒状レンズを千鳥配列に密接して２列配列したもの（この場合ＬＲＤ配列は２列の中間部に位置するように配備される）を用いることもできる。
【００１５】
さて、画像出力ユニット３０は、結像素子３１による光スポット形成面３９上における、各ＬＥＤに応じた光スポットの光強度分布の、光スポット配列方向および／または光スポット配列直交方向における、光スポット径より小さい所定幅内の積分値が、各光スポットに実質的に共通する値となるように、個々のＬＥＤの発光量を設定されるが、この点を以下に説明する。
図３（ａ）において、符号３０は画像出力ユニット、符号ＳＴはスリット、符号７０は受光素子を示している。図３（ｂ）〜（ｅ）において、符号ＳＰは光スポット形成面上における光スポットを示し、図の左右方向が主走査方向（ＬＥＤ配列方向）、上下方向が副走査方向である。スリットＳＴは、図３（ａ）において、光スポット形成面に合致して配備され、画像出力ユニット３０はＬＥＤの配列ピッチずつ矢印方向へ変位可能であるようになっている。
図３（ｂ）〜（ｅ）で実線の矩形形状はスリットＳＴの開口形状の４態様を示している。各開口形状における開口幅を主走査方向につき「ｗ」、副走査方向につき「ｚ」とする。図３（ｂ）は、開口幅：ｗが、光スポットＳＰの主走査方向径より小さく、開口幅：ｚが光スポットＳＰの副走査方向径より大きい場合であり、この場合、受光素子７０が受光する光量は「光スポット配列方向（主走査方向）における、光スポット径より小さい所定幅：ｗ内の積分値」である。
図３（ｃ）は、開口幅：ｗが、光スポットＳＰの主走査方向径より大きく、開口幅：ｚが光スポットＳＰの副走査方向径より小さい場合であり、この場合、受光素子７０が受光する光量は「光スポット配列直交方向（副走査方向）における、光スポット径より小さい所定幅：ｚ内の積分値」である。
図３（ｄ）は、開口幅：ｗ，ｚがともに、光スポットＳＰの主・副走査方向径より小さい場合であり、この場合、受光素子７０が受光する光量は「光スポット配列方向（主走査方向）および光スポット配列直交方向（副走査方向）における、光スポット径より小さい所定幅：ｗ，ｚ内の積分値」である。
図３（ｅ）は、開口幅：ｗ，ｚがともに、光スポットＳＰの主・副走査方向径より大きい場合であり、この場合、受光素子７０が受光する光量は「光スポット全体の積分値」である。
【００１６】
図３（ｂ）の場合を例にとって、各ＬＥＤの発光量の調整を説明する。
先ず、開口幅：ｗを適当に定めたスリットＳＴを用い、図３（ａ）に示すごとくに配備する。ＬＥＤを一つずつ点灯し、受光素子７０の出力により「光スポット配列方向（主走査方向）における、光スポット径より小さい所定幅：ｗ内の積分値」を求める。そして、ＬＥＤごとに、発光量を（デジタル値で）補正し、全てのＬＥＤに対する上記積分値が、許容域内になるようにする。
このように発光力をＬＥＤの個別的に調整された画像出力ユニットを、図１に示す画像形成装置に組込み、装置を実際に稼働させて、画像ドットの大きさの不揃いによる問題（説明中の例では、画像ドットの大きさの不揃いは主走査方向に現われるので、例えば、全てのＬＥＤを点灯させ、一定の面積領域を「ベタ部」として露光した要な場合に、画像ドットの小さい部分では「副走査方向に直線的な黒スジ」が発生する）が発生するか否かを調べる。
【００１７】
問題が現に発生するときは、スリットＳＴにおける開口幅：ｗを変え、上記の工程を繰り返す。このように試行を繰返し、画像ドットの大きさ（説明中の例では主走査対応方向の大きさ）のバラツキによる問題が最も良く軽減されたときの開口幅：ｗ0を求める。そうすると、開口幅：ｗ0を持ったスリットにより「光スポット配列方向（主走査方向）における、光スポット径より小さい所定幅：ｗ0内の積分値」が全てのＬＥＤに対して許容域内になるように発光量を調整した任意の画像出力ユニットは、これを図１の画像形成装置に組み込むだけで、画像ドットの副走査方向の大きさのバラツキを有効に補正された状態で画像書込みを実現することができる。
従って、一旦、開口幅：ｗ0が求まれば、開口幅：ｗ0のスリットで、上記積分値を均一にする発光量調整を、任意の画像出力ユニットに対し、画像形成装置本体と別個に実行することができ、このように発光量調整した画像出力ユニットを画像形成装置本体に組み込むのみでよく、従来のように、画像出力ユニットを画像形成装置に組み込んだ後に、画像出力ユニットにおけるＬＥＤの発光を個別的に調整する必要がなくなる。
請求項１記載の画像出力ユニットにおいて、「結像素子による光スポット形成面上における、各ＬＥＤに応じた光スポットの光強度分布の、光スポット配列方向および／または光スポット配列直交方向における、光スポット径より小さい所定幅内の積分値」における「所定幅」は、上記「試行を繰返し、画像ドットの大きさ（説明中の例では主走査対応方向の大きさ）のバラツキによる問題が最も良く軽減されたときの開口幅：ｗ0（この場合は光スポット配列方向の所定幅）」である。
【００１８】
図４を参照すると、図中の横軸は主走査方向の光スポット結像面を示し、縦軸は光強度を表している。
図４（ａ）において、曲線４−１，４−２とは、スリット幅：ｗ0 内における光強度の積分値が許容域内にあるように調整したときの２つのＬＥＤに対応する光スポットの光強度分布である。
これに対し、図４（ｂ）における曲線４−３，４−４は、スリット幅：ｗ，ｚを光スポットの大きさよりも大きくして（図３（ｅ）の場合）、光スポット全体の光量（積分値）が各ＬＥＤにおいて許容量域内に入るようにしたときの２つのＬＥＤに対応する光スポットの強度分布である。
図４（ａ）の場合では、曲線４−１，４−２の幅：ｗ0 内の積分値が等しいので、幅：ｗ0 内で、曲線４−１，４−２の形状は近い。このため、例えば、画像ドットの感光に必要な光強度の閾値をＴとすると、各光スポットにより形成される画像ドットの主走査方向の幅は、図のように曲線４−１，４−２に対してそれぞれ、Ｄｍ１，Ｄｍ２となる。
これに対して、光スポットの全光量が等しくなるようにした場合における、図４（ｂ）の曲線４−３，４−４は、曲線４−４において光強度分布が横に太った形状となっている。このため、各光スポットにより形成される画像ドットの主走査方向の幅は、図のように曲線４−３，４−４に対してそれぞれ、Ｄｍ３，Ｄｍ４となる。
Ｄｍ１，Ｄｍ２の大小関係と、Ｄｍ３，Ｄｍ４の大小関係を対比すれば、図４（ｂ）の場合に比して、図４（ａ）の場合の方が、画像ドットの大きさのバラツキの範囲を小さくできることが理解されよう。
所望により、図３（ｃ）に示すスリット形状を用い、画像ドットの副走査方向の大きさのバラツキを有効に軽減するようにできるし、図３（ｄ）に示すスリット形状を用い、画像ドットの主・副走査方向の大きさのバラツキを有効に軽減するようにできる。
【００１９】
【発明の効果】
以上に説明したように、この発明によれば新規な画像出力ユニットを実現できる。
この発明の画像出力ユニットは、これを組み込む画像形成装置本体と別個に、画像ドットの大きさのバラツキを有効に軽減できるように各ＬＥＤの発光量を調整できるので、これを画像形成装置本体に組み込むのみで、画像ドットの大きさのバラツキを有効に軽減された画像書込を実現することができる。また、この発明の画像形成装置は、予め、画像ドットの大きさのバラツキを有効に軽減できるように各ＬＥＤの発光量を調整された画像出力ユニットを組み込まれるので、画像出力ユニット組込後の面倒な調整が不要で、良好な画像形成を実現できる。
【図面の簡単な説明】
【図１】  この発明の画像出力ユニットを用いる画像形成装置の実施の１形態を説明するための図である。
【図２】図１の実施の形態における画像出力ユニットを説明するための図である。
【図３】画像形成ユニットにおける発光量調整を説明するための図である。
【図４】この発明の画像出力ユニットにより画像ドットの大きさのバラツキを軽減できることを説明するための図である。
【符号の説明】
３０      画像出力ユニット
３５      レンズアレイによる結像素子
ＳＴ      スリット
７０      受光素子
ｗ，ｚ      スリットＳＴの開口幅
【図１】
0003667989.tif 000002
【図２】
0003667989.tif 000003
【図３】
0003667989.tif 000004
【図４】
0003667989.tif 000005